(57)【要約】【課題】ランプから発生する熱による電気部品の熱劣化をコストを抑えつつ防止することを目的とする。【解決手段】照明器具は、ランプケース３、ランプソケット４、遮熱壁６を備える。ランプケース３は、収納したランプ１１の発光部分が放出した光を外側へ放射する光出口を底面側に有するとともに、ランプ１１の発光部分が発した熱を外側へ放出する放熱孔７を底面側に対向する上面側に有する。ランプソケット４は、ランプ１１の口金部分が挿入されるランプ挿入口を有し、ランプケース３の上面側に設けられる。遮熱壁６は、ランプソケット４のランプ挿入口１０付近に設けられ、ランプ１１の発光部分が発した熱のランプ挿入口１０付近への伝達を遮る。【選択図】図１
2009295384.tif 000002
【特許請求の範囲】
【請求項１】
ランプの発光部分を収納するランプケースであって、収納したランプの発光部分が放出した光を外側へ放射する光出口を底面側に有するとともに、上記ランプの発光部分が発した熱を外側へ放出する放熱孔を上記底面側に対向する上面側に有するランプケースと、
上記ランプの口金部分が挿入されるランプ挿入口を有し、上記ランプケースの上面側に設けられたランプソケットと、
上記ランプソケットの上記ランプ挿入口付近に設けられ、上記ランプの発光部分が発した熱の上記ランプ挿入口付近への伝達を遮る遮熱壁と
を備えることを特徴とする照明器具。
【請求項２】
上記ランプソケットは、上記ランプケースの上記放熱孔の中央付近に上記ランプケースとの間に空間を空けて設けられ、
上記遮熱壁は、上記ランプソケットの上記ランプ挿入口の周囲に上記ランプケースとの間に空間を空けて設けられた
ことを特徴とする請求項１に記載の照明器具。
【請求項３】
上記ランプソケットと上記遮熱壁とは、上記ランプケースの外側に設けられた
ことを特徴とする請求項１又は２に記載の照明器具。
【請求項４】
上記照明器具は、さらに、
上記ランプケースと上記ランプソケットとを取付する器具本体を備え、
上記遮熱壁は、上記器具本体と一体成形された
ことを特徴とする請求項１から３までのいずれかに記載の照明器具。
【発明の詳細な説明】
【技術分野】
【０００１】
本発明は、天井等の取付面に埋め込まれて取り付けられる埋込型照明器具の放熱技術に関する。
【背景技術】
【０００２】
ランプソケット付近の熱を器具本体の外へ放出させるために、ランプケースの上部に放熱孔を設けた埋込型照明器具がある。また、熱伝導性の高い金属（ヒートシンク）等の別部品を用いて、ランプソケット付近の熱を器具本体の外へ放出させた埋込型照明器具がある。
【特許文献１】特開平５−１２９１２号公報
【特許文献２】特開２００５−２１６５０６号公報
【発明の開示】
【発明が解決しようとする課題】
【０００３】
ランプケースの上部にランプソケットを設けた埋込型照明器具では、ランプケースの上部に放熱孔を設けた場合であっても、点灯時にランプから発生して放熱孔へ抜ける熱がランプソケット付近を通過するため、ランプソケットやランプ等の電気部品に影響を及ぼす。つまり、電気部品の温度が高温になるため、熱劣化により電気部品の寿命が短くなる。
また、ヒートシンク等の部品を用いて放熱する場合には、部品点数が増えてしまい、コストが増加してしまう。
本発明は、ランプから発生する熱による電気部品の熱劣化を、コストを抑えつつ防止することを目的とする。
【課題を解決するための手段】
【０００４】
本発明に係る埋込型照明器具は、例えば、ランプの発光部分を収納するランプケースであって、収納したランプの発光部分が放出した光を外側へ放射する光出口を底面側に有するとともに、上記ランプの発光部分が発した熱を外側へ放出する放熱孔を上記底面側に対向する上面側に有するランプケースと、
上記ランプの口金部分が挿入されるランプ挿入口を有し、上記ランプケースの上面側に設けられたランプソケットと、
上記ランプソケットの上記ランプ挿入口付近に設けられ、上記ランプの発光部分が発した熱の上記ランプ挿入口付近への伝達を遮る遮熱壁と
を備えることを特徴とする。
【発明の効果】
【０００５】
本発明に係る埋込型照明器具は、ランプソケットのランプ挿入口の周囲に遮熱壁を備えるとともに、遮熱壁とランプケースとの間に空間（放熱孔）が形成されている。そのため、点灯時にランプから発生した熱は放熱孔から放出されるが、遮熱壁によりランプソケットやランプ等へは影響を与えない。
【発明を実施するための最良の形態】
【０００６】
実施の形態１．
図１は、埋込型照明器具１の斜視図である。
図２は、図１のＡ−Ａ’断面図である。
ここでは、水平な天井面に設けられた円形の取付孔へ埋め込まれて取り付けられ、内部に収納されたランプにより下側を照らす埋込型照明器具１を例として説明する。
【０００７】
埋込型照明器具１は、器具本体２、ランプケース３、ランプソケット４、取付バネ５、遮熱壁６を備える。
【０００８】
器具本体２は、ランプケース３、ランプソケット４、取付バネ５を取り付けるための部材である。図に示すように、ランプケース３、ランプソケット４、取付バネ５は、例えば器具本体２にねじ止め固定される。
【０００９】
ランプケース３は、ランプ１１の発光部分を内側に収納する。ランプケース３は、円筒形に形成され、底面側と、底面側と対向する上面側とに開口部を有する。底面側に有する開口部は光出口であり、収納したランプ１１の発光部分から放出された光を外側へ放射する。上面側に有する開口部は放熱孔７であり、収納されたランプ１１の発光部分から発生した熱を外側へ放出する。埋込型照明器具１は光出口が下側を放熱孔７が上側を向くように天井面に取り付けられる。また、ランプケース３は、内側が反射面に形成され、光出口と異なる方向へ向かう光を光出口へ向かうように反射する。さらに、ランプケース３の光出口側の端部は折り返され、つば部８を形成する。
【００１０】
ランプソケット４は、ランプケース３に発光部分が収納されたランプ１１の口金部分（ランプ口金１２）が挿入され取り付けられるランプ挿入口１０を備える。ランプソケット４は、ランプケース３の上面側に設けられる。特に、ランプソケット４は、ランプケース３の放熱孔７の中央部分にランプケース３との間に空間を空けて設けられる。また、ランプソケット４は、ランプ挿入口１０がランプケース３の外側になるように設けられる。
【００１１】
取付バネ５は、天井面に設けられた取付孔へ埋込型照明器具１が埋め込まれた場合に、取付孔に埋め込まれ、つば部８との間に天井面を挟むことにより埋込型照明器具１を天井面に固定する。つまり、取付バネ５は、弾性により取付孔の内側から天井面を押圧して、取付面の外側のつば部８との間に天井面を挟む。
【００１２】
遮熱壁６は、ランプソケット４のランプ挿入口１０の周囲を囲むように、ランプケース３との間に空間を空けて設けられる。遮熱壁６は、ランプ１１の発光部分が発した熱のランプ挿入口１０付近への伝達を遮る。遮熱壁６とランプケース３との間には空間があるため、ランプ１１の発光部分が発した熱は、遮熱壁６が設けられた場合であっても放熱孔７からランプケース３の外側へ放出される。また、遮熱壁６は、ランプケース３の放熱孔７を跨ぐように、ランプケース３の外側へ競り上がったブリッジ９の中央部分がランプ挿入口１０を延長するようにランプケース３側へ折り返されて形成される。ブリッジ９は、器具本体２と一体成形されている。上述したように、遮熱壁６はブリッジ９の中央部分が折り返されて形成されたものでありブリッジ９と一体成形されているから、遮熱壁６は器具本体２と一体成形されていることになる。すなわち、例えば、１つの板金から器具本体２と遮熱壁６とが成形される。また、ブリッジ９がランプケース３の外側へ競り上がっているため、ブリッジ９に設けられた遮熱壁６は、ランプケース３の外側に設けられる。
【００１３】
図３は、ランプ１１から発生する熱の移動の説明図である。
【００１４】
図３（ａ）に示すように、ランプ１１から発生した熱は上側へ向かって移動する。つまり、ランプ１１はランプソケット４が取り付けられたランプケース３の放熱孔７側が上側であるため、ランプケース３の放熱孔７側へ熱は移動する。
【００１５】
図３（ｂ）（ｃ）に示すように、ランプケース３の上側へ移動した熱は、放熱孔７からランプケース３の外部へ移動（放出）する。ランプソケット４のランプ挿入口１０側の端部の周囲に遮熱壁６が設けられているため、ランプケース３の上側へ移動した熱の多くは、ランプソケット４から離れる方向へ移動する。つまり、遮熱壁６により、ランプ１１から発生した熱のランプソケット４やランプソケット４に取り付けられたランプ１１への伝達が遮られる。つまり、ランプソケット４やランプソケット４に取り付けられたランプ１１、特にランプソケット４のランプ挿入口１０部分やランプ１１のランプ口金１２部分は、ランプ１１から発生した熱の影響が減少する。
【００１６】
図４は、ランプケース３、ランプソケット４、遮熱壁６の寸法比を示す図である。
ランプソケット開口幅ａは、ランプソケット４のランプ挿入口１０の直径を示す。遮熱壁内径ｂは、遮熱壁６の内側の直径を示す。ランプソケット外径ｃは、ランプソケット４のランプ挿入口１０の外側の直径を示す。放熱孔幅ｄは、ランプケース３の放熱孔７の直径を示す。遮熱壁外径ｅは、遮熱壁６の外側の直径を示す。放熱孔高さｆは、放熱孔７の端部と、遮熱壁６の外側の端部との高さを示す。
遮熱壁外径ｅは、ランプソケット外径ｃよりも大きい。そのため、ランプから発生するランプソケットへの輻射熱を遮断することができる。
【００１７】
また、遮熱壁外径ｅは、放熱孔幅ｄよりも小さい。そのため、熱が放出される空間が広く、放熱効率が高い。なお、遮熱壁外径ｅが、放熱孔幅ｄよりも大きくてもよい。この場合、熱が放出される空間は減少するが、熱の移動する方向がランプソケット４から離れる方向へ向き、ランプ口金部とランプソケット口金部への熱的影響が少なくなる。また、放熱孔７からの光漏れ少なくすることができる。しかし、遮熱壁外径ｅが、ランプケース開口幅ｄよりも大きい場合であっても、遮熱壁内径ｂが、ランプケース開口幅ｄよりも小さい方が望ましい。これは、遮熱壁内径ｂが、ランプケース開口幅ｄよりも大きいと、ランプソケット４のランプ挿入口１０付近への熱の移動が多くなるためである。なお、遮熱壁内径ｂは、ランプソケット開口幅ａと等しいことが望ましい。しかし、遮熱壁内径ｂをランプソケット開口幅ａと等しくした場合、ランプ１１の口金部分をランプ挿入口１０へ挿入する際、遮熱壁６によりランプ１１に傷を付ける虞がある。そのため、遮熱壁内径ｂをランプソケット開口幅ａよりも若干大きくしてもよい。
また、放熱孔高さｆは広いほど望ましい。放熱孔高さｆが広がれば熱が放出される空間が増加するためである。
【００１８】
図５は、遮熱壁６を設けた場合と、遮熱壁６を設けなかった場合とのランプソケット４のランプ挿入口１０部分（ソケット口金）と、ランプソケット４（ソケット本体）との温度の比較図である。
【００１９】
なお、測定は、ＪＩＳ−Ｃ８１０５規格に従って行った。また、各温度はランプ１１の点灯から約３０分後に計測した温度である。
図に示すように、遮熱壁６を設けた場合の温度は、遮熱壁６を設けなかった場合の温度に比べ、ソケット口金で３．３℃低く、ソケット本体で１１．４℃低かった。
【００２０】
以上のように、埋込型照明器具１によれば、ランプ１１で発生した熱がランプソケット４へ伝導することを遮熱壁６により防止することができる。したがって、ランプ１１で発生した熱によるランプソケット４やランプ１１、又は埋込型照明器具１自体の短寿命化を防止することができる。
【００２１】
また、遮熱壁６は、器具本体２と一体成形されているため、部品点数を増やすことなく設けることができる。例えば、単に器具本体２の板金加工に変更を加えるだけで遮熱壁６を設けることができる。
【００２２】
なお、ランプソケット４は、樹脂や陶器等で形成される。樹脂でランプソケット４を形成した場合、陶器等で形成した場合に比べ、軽量で、かつ寸法の精度を高くすることができる。一方、樹脂は陶器等に比べ熱に弱い。しかし、埋込型照明器具１によれば、ランプソケット４への熱伝導を減少させることができるため、ランプソケット４を樹脂で形成することができる。
【００２３】
また、上述したように、遮熱壁６は、放熱孔７を跨ぐように、ランプケース３の外側へ競り上がったブリッジ９の中央部に形成されている。そのため、ブリッジ９の高さにより、遮熱壁６は放熱孔幅ｆを広くとることができる。
また、ブリッジ９は、放熱孔７の径よりも広い範囲を跨ぐように形成されている。そのため、ランプケース３を伝導して、ランプケース３の外側へ放出された熱を器具本体２の外側へ放出させることができる。
【図面の簡単な説明】
【００２４】
【図１】埋込型照明器具１の斜視図。
【図２】図１のＡ−Ａ’断面図。
【図３】ランプ１１から発生する熱の移動の説明図。
【図４】ランプケース３、ランプソケット４、遮熱壁６の寸法比を示す図。
【図５】遮熱壁６を設けた場合と、遮熱壁６を設けなかった場合とのランプソケット４（ソケット本体）と、ランプソケット４のランプ挿入口１０部分（ソケット口金）との温度の比較図。
【符号の説明】
【００２５】
１  埋込型照明器具、２  器具本体、３  ランプケース、４  ランプソケット、５  取付バネ、６  遮熱壁、７  放熱孔、８  つば部、９  ブリッジ、１０  ランプ挿入口、１１  ランプ、１２  ランプ口金。
【図１】
2009295384.tif 000003
【図２】
2009295384.tif 000004
【図３】
2009295384.tif 000005
【図４】
2009295384.tif 000006
【図５】
2009295384.tif 000007